【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
始動口への入球により数値データを抽出し、該数値データに基づいて当否に係る判定を実行する当否判定手段と、
該当否判定手段により大当りと判定される確率の異なる設定値を複数種類備え、該複数種類の設定値の何れかを選択可能な設定値選択手段と、
前記当否に係る判定の結果に基づいて変動パターンを設定する変動パターン設定手段と、
前記当否に係る判定の結果を示す図柄を設定する図柄設定手段と、
前記変動パターンに設定された変動時間に亘る変動表示を実行した後に前記図柄を停止表示する図柄表示手段と、
前記図柄表示手段によって前記大当りを示す前記図柄が停止表示されることで遊技者に有利な大当り遊技に移行する大当り遊技手段と、を備えた主制御装置と、
前記図柄表示手段による変動表示に対応した演出表示を実行する演出表示手段を備えたサブ制御装置と、を具備してなる遊技機において、
前記変動パターン設定手段は、前記当否に係る判定がハズレのときに所定の確率で特別変動パターンが選択され、
前記設定値選択手段により選択された設定値の違いにより、前記特別変動パターンの選択率を異ならせた特別変動実行率変更手段を備え、
前記演出表示手段は、前記特別変動パターンが選択された場合に、特別演出を実行する特別演出実行手段を備えたこと、
を特徴とする遊技機。
【請求項２】
請求項１に記載の遊技機において、
前記演出表示手段は、大当りを示す前記図柄の停止表示に対応して、複数個の演出図柄の変動表示を順次停止した後に大当り表示態様で停止表示し、
前記特別演出は、リーチ演出であること、
を特徴とする遊技機。
【請求項３】
請求項１または請求項２に記載の遊技機において、
前記大当り遊技が終了した後の前記変動表示の変動回数を計数するカウント手段を備え、
前記特別変動実行率変更手段は、前記変動回数によって前記特別変動パターンの選択率を前記設定値毎に異ならせたこと、
を特徴とする遊技機。
【請求項４】
請求項１乃至請求項３の何れか１項に記載の遊技機において、
所定条件の成立に基づいて遊技球が入球困難な閉鎖状態から入球容易な開放状態に所定時間に亘って変化すると共に、前記開放状態中に入球した遊技球が入球可能に前記始動口を内蔵する普通電動役物と、
前記大当り遊技の終了後に前記所定時間を延長する開放延長期間に移行する開放延長移行手段と、を更に備え、
前記特別変動実行率変更手段は、前記開放延長期間において前記特別変動パターンの選択率を異ならせること、
を特徴とする遊技機。
【手続補正２】
【補正対象書類名】明細書
【補正対象項目名】０００６
【補正方法】変更
【補正の内容】
【０００６】
上記課題に鑑みてなされた請求項１に記載の発明は、始動口への入球により数値データを抽出し、該数値データに基づいて当否に係る判定を実行する当否判定手段と、該当否判定手段により大当りと判定される確率の異なる設定値を複数種類備え、該複数種類の設定値の何れかを選択可能な設定値選択手段と、当否に係る判定の結果に基づいて変動パターンを設定する変動パターン設定手段と、当否に係る判定の結果を示す図柄を設定する図柄設定手段と、変動パターンに設定された変動時間に亘る変動表示を実行した後に図柄を停止表示する図柄表示手段と、図柄表示手段によって大当りを示す図柄が停止表示されることで遊技者に有利な大当り遊技に移行する大当り遊技手段と、を備えた主制御装置と、図柄表示手段による変動表示に対応した演出表示を実行する演出表示手段を備えたサブ制御装置と、を具備してなる遊技機に関するものである。
【手続補正３】
【補正対象書類名】明細書
【補正対象項目名】０００７
【補正方法】変更
【補正の内容】
【０００７】
この遊技機では、変動パターン設定手段は、当否に係る判定がハズレのときに所定の確率で特別変動パターンが選択され、設定値選択手段により選択された設定値の違いにより、特別変動パターンの選択率を異ならせた特別変動実行率変更手段を備え、演出表示手段は、特別変動パターンが選択された場合に、特別演出を実行する特別演出実行手段を備える。
【手続補正４】
【補正対象書類名】明細書
【補正対象項目名】０００８
【補正方法】変更
【補正の内容】
【０００８】
このような構成によれば、主制御装置により設定された変動パターンに係る変動時間に基づいて特別演出を実行するが、設定値により特別演出を実行する特別変動時間の選択率、延いては特別演出の出現率に差異を設けたので、サブ制御装置に設定値に係る情報を送信することなく、遊技者に設定判別をさせることが可能となる。よって、設定値に係る情報を主制御装置から外部に出力することなく、遊技者が設定判別の面白みを享受することができる
主制御装置から設定値に係る情報が、サブ制御装置に、すなわち主制御装置の外部に漏れることがないため、何らかの不正な行為によって設定値を不正取得して、当否判定手段により大当りと判定される確率の高い設定値の遊技機を探し出して、不当な利得を得る不正行為を防止できる。
【手続補正５】
【補正対象書類名】明細書
【補正対象項目名】００１０
【補正方法】変更
【補正の内容】
【００１０】
なお、遊技機は、設定値の違いにより大当りと判定される確率に高低の差を持たせ、大当り遊技により獲得が期待できる遊技球数に多寡が発生するよう、すなわち設定値によって出玉率が異なるように構成してもよい。このとき、出玉率は、一定時間に亘って当該遊技機を稼働させた場合に発射される遊技球の総数に対して、賞球等で遊技者に払い出すことが期待される遊技球の総数の割合、であることが好ましい。
該出玉率が高い状態の遊技機を稼働させる、ということは、遊技者が賞球をより多く獲得する可能性が高く、反面、ホールの利益が抑制される可能性が高い。また、該出玉率が低い状態の遊技機を稼働させる、ということは、遊技者が賞球をより多く獲得する可能性が低く、反面、ホールの利益が抑制される可能性が低い。
ホールは、計画的に営業を行う上で、出玉率を任意に調整する必要がある場合、当否判定手段により大当りと判定される確率の異なる複数種類の設定値の内の、所望の設定値を選択して稼働させることが可能である。
【手続補正６】
【補正対象書類名】明細書
【補正対象項目名】００１４
【補正方法】変更
【補正の内容】
【００１４】
また、請求項３に記載されているように、遊技機は、請求項１又は請求項２に記載の遊技機において、大当り遊技が終了した後の変動表示の変動回数を計数するカウント手段を備え、特別変動実行率変更手段は、変動回数によって特別変動パターンの選択率を設定値毎に異ならせる、ようにしても良い。
【手続補正７】
【補正対象書類名】明細書
【補正対象項目名】００１５
【補正方法】変更
【補正の内容】
【００１５】
したがって、請求項３に記載の遊技機によれば、カウント手段が計数した変動回数により、設定値毎で特別変動パターンの選択率、延いては特別演出の出現率が異なるようにしたので、遊技者は変動回数が何回かについても興味を抱くこととなり、興趣を向上させることができる。
【手続補正８】
【補正対象書類名】明細書
【補正対象項目名】００１６
【補正方法】変更
【補正の内容】
【００１６】
また、請求項４に記載されているように、遊技機は、請求項１乃至請求項３の何れか１項に記載の遊技機において、所定条件の成立に基づいて遊技球が入球困難な閉鎖状態から入球容易な開放状態に所定時間に亘って変化すると共に、開放状態中に入球した遊技球が入球可能に始動口を内蔵する普通電動役物と、大当り遊技の終了後に所定時間を延長する開放延長期間に移行する開放延長移行手段と、を更に備え、特別変動実行率変更手段は、開放延長期間において特別変動パターンの選択率を異ならせる、ようにしても良い。